(57)【要約】  本発明は、表示パネル、ディスプレイ及び表示端末に関する。その表示パネルは、基板と、基板に設けられている複数の第一の電極とを含む。複数の前記第一の電極は、同じ方向に沿って並行延在し、隣り合う二つの電極の間に間隔を有する。前記第一の電極の延在方向において、前記第一の電極の幅が連続的に変化する。前記第一の電極は、その延在方向に沿う二つの縁部はいずれも波状線であるとともに、波状線の波頂及び波底部分がいずれも曲線であり、且つ前記波頂における曲線の曲率半径と前記波底における曲線の曲率半径とが異なる。
2021502603.tif 000002
【特許請求の範囲】
【請求項１】
基板と、
基板に設けられている複数の第一の電極と、
を含み、
複数の前記第一の電極は、同じ方向に沿って並行延在し、隣り合う二つの前記第一の電極の間に間隔を有し、
前記第一の電極の延在方向において、前記第一の電極の幅が連続的に或いは断続的に変化し、前記第一の電極は、その延在方向に沿う二つの縁部はいずれも波状線であるとともに、前記波状線の波頂及び波底の部分がいずれも曲線であり、且つ前記波頂における曲線の曲率半径と前記波底における曲線の曲率半径とが異なることを特徴とする表示パネル。
【請求項２】
前記波頂における曲線の曲率半径を第一の半径Ｒ１とすると、前記波底における曲線の曲率半径Ｒは、
０．２Ｒ１≦Ｒ≦５Ｒ１
という条件を満たすことを特徴とする請求項１に記載の表示パネル。
【請求項３】
隣り合う二つの前記波底における曲線の曲率半径は異なることを特徴とする請求項１に記載の表示パネル。
【請求項４】
前記波底における曲線は、少なくとも第一の曲線及び第二の曲線を含み、前記波状線に前記第一の曲線及び前記第二の曲線を交替的に配置されることを特徴とする請求項１に記載の表示パネル。
【請求項５】
ＰＭＯＬＥＤ表示パネルであることを特徴とする請求項１に記載の表示パネル。
【請求項６】
前記第一の電極に積層する第二の電極をさらに含み、前記第二の電極の延在方向は、前記第一の電極の延在方向に直交することを特徴とする請求項１に記載の表示パネル。
【請求項７】
前記第一の電極はアノードであり、前記第二の電極はカソードであることを特徴とする請求項６に記載の表示パネル。
【請求項８】
前記カソードの形状及び前記アノードの形状は同じであることを特徴とする請求項７に記載の表示パネル。
【請求項９】
ＡＭＯＬＥＤ表示パネルであることを特徴とする請求項１に記載の表示パネル。
【請求項１０】
前記基板はＴＦＴアレイ基板であることを特徴とする請求項１に記載の表示パネル。
【請求項１１】
前記第一の電極は、前記ＴＦＴアレイ基板上に設置されている導電配線を含み、
前記導電配線は、走査線、データ線及び電力線の少なくとも一つから選択されるものであることを特徴とする請求項１０に記載の表示パネル。
【請求項１２】
前記基板上に設けられているアノード層をさらに含み、
前記アノード層は、アレイ状に配置された互いに独立した複数のアノードを含み、
前記アノードの形状は円形、楕円形又はダンベル状であることを特徴とする請求項９に記載の表示パネル。
【請求項１３】
前記第一の電極には複数の突出部が形成され、
前記複数の突出部が、前記第一の電極の縁部に沿って配置されていることを特徴とする請求項１に記載の表示パネル。
【請求項１４】
光透過率が９０％以上の材料で構成されていることを特徴とする請求項１に記載の表示パネル。
【請求項１５】
前記第一の電極の材料は、酸化インジウムスズ、酸化インジウム亜鉛、銀をドープした酸化インジウムスズ、銀をドープした酸化インジウム亜鉛の少なくとも一つから選択されることを特徴とする請求項１に記載の表示パネル。
【請求項１６】
前記第二の電極の材料は、酸化インジウムスズ、酸化インジウム亜鉛、銀をドープした酸化インジウムスズ、銀をドープした酸化インジウム亜の少なくとも一つから選択されることを特徴とする請求項６に記載の表示パネル。
【請求項１７】
画面を表示する第一の表示領域と、
前記第一の表示領域に設けられる請求項１に記載の第一の表示パネルと、
を含むことを特徴とするディスプレイ。
【請求項１８】
前記第一の表示領域と隣接した第二の表示領域と、
前記第二の表示領域に設けられている第二の表示パネルと、
をさらに含み、
前記第一の表示パネルはＰＭＯＬＥＤ表示パネル又はＡＭＯＬＥＤ表示パネルであり、前記第二の表示パネルはＡＭＯＬＥＤ表示パネルであることを特徴とする請求項１７に記載のディスプレイ。
【請求項１９】
部品領域を備える機器本体と、
前記機器本体を覆うように配置されている請求項１７に記載のディスプレイと、
を含み、
前記部品領域は前記第一の表示領域の下方に位置し、前記部品領域には、前記第一の表示領域を透過した光線を受光する受光部品が設けられていることを特徴とする表示端末。
【請求項２０】
前記部品領域はノッチ領域であり、前記受光部品はカメラ又は光線センサであることを特徴とする請求項１９に記載の表示端末。
【発明の詳細な説明】
【技術分野】
【０００１】
本発明は、表示技術分野に関し、特に表示パネル、ディスプレイ及び表示端末に関する。
【０００２】
本願は、２０１８年８月６日に出願され、中国特許出願第２０１８１０８８７６６８．０号（名称「表示パネル、ディスプレイ及び表示端末」）に基づく優先権を主張し、その内容全体をここに援用する。
【背景技術】
【０００３】
電子機器の急速な発展に伴い、スクリーン占有率に対するユーザの要求がますます高まっており、全面スクリーンで表示のような電子機器は業界においてますます注目を集めている。携帯電話やタブレット等の従来の電子機器において、フロントカメラ、イヤホーン、赤外線検知素子等を統合する必要があるため、ディスプレイにノッチ（Ｎｏｔｃｈ）を設け、当該ノッチ領域に透明なディスプレイを設けることで、電子機器の全面スクリーンで表示を実現できる。
【発明の概要】
【発明が解決しようとする課題】
【０００４】
本発明の各実施例によれば、透明な表示パネル、ディスプレイ及び表示端末が提供される。
【課題を解決するための手段】
【０００５】
本願の表示パネルは、基板と、基板に設けられている複数の第一の電極とを含む。複数の第一の電極は、同じ方向に沿って並行延在し、隣り合う二つの第一の電極の間に間隔を有する。第一の電極の延在方向において、第一の電極の幅が連続的に或いは断続的に変化する。第一の電極は、その延在方向に沿う二つの縁部はいずれも波状線であるとともに、波状線の波頂及び波底部分がいずれも曲線であり、且つ波頂における曲線の曲率半径と波底における曲線の曲率半径とが異なる。
【０００６】
本発明の一つ又は複数の実施例の詳細は、以下の図面及び記述において提供される。本発明の他の特徴、目的及び利点は、明細書、図面及び特許請求の範囲により明らかになる。
【図面の簡単な説明】
【０００７】
本発明の実施例又は従来技術による技術案をより明らかに説明するために、実施例又は従来技術を記述するのに必要な図面を簡単に説明する。もちろん、後述する図面が、本発明のいくつかの実施例に過ぎず、当業者にとって、創造的な努力を必要とせずに、これらの図面に基づいて他の実施例の図面を得られることは明白である。
【図１】第一の実施例に係る表示パネルの概略図である。
【図２】他の実施例に係る表示パネルの概略図である。
【図３】一実施例に係る表示パネルの第一の電極の概略図である。
【図４】一実施例に係る表示パネルの第一の電極の概略図である。
【図５】一実施例に係る表示パネルの第一の電極の概略図である。
【図６】一実施例に係る画素定義層の概略図である。
【図７】一実施例に係るＰＭＯＬＥＤ表示パネルの側面図である。
【図８】一実施例に係るＡＭＯＬＥＤ表示パネルにおけるアノードの概略図である。
【図９】他の実施例に係るＡＭＯＬＥＤ表示パネルにおけるアノードの概略図である。
【図１０】一実施例に係るディスプレイの概略図である。
【図１１】一実施例に係る表示端末の概略図である。
【図１２】一実施例に係る機器本体の概略図である。
【発明を実施するための形態】
【０００８】
本発明の目的、技術的解決手段及び利点をより明確にするために、以下、図面及び実施例を参照しながら本発明をさらに詳しく説明する。本明細書に記述される具体的な実施例は本発明を解釈するためのものに過ぎず、本発明を限定するためのものではない。
【０００９】
要するに、本明細書の記述において、「中心」、「横方向」、「上」、「下」、「左」、「右」、「鉛直」、「水平」、「頂」、「底」、「内」及び「外」などの用語で指明される方位や位置関係は、図面に示す方位や位置関係に基づくものである。これらの用語は、本明細書を便利で簡潔に記述するためにしたものであり、関連する装置や素子が必ずその特定された方位や、特定された方位構造と操作であることを明示するものではない。本発明の範囲を限定するためではないと理解されるべきである。なお、説明したいのは、ある要素が「他の要素上に形成される」ように記載する場合、当該要素が他の要素に直接接続されるか、中間要素を有する可能性もある。また、ある要素が他の要素「に接続される」ように記載する場合、当該要素が他の要素に直接接続されるか、或いは、中間要素を有する可能性もある。逆に、ある要素が他の要素「に直接」されたように記載する場合、中間要素が存在しない。
【００１０】
出願者は、カメラ等の受光部品を透明な表示パネルの下方に配置した場合に、撮影された写真がぼけることを発見した。検討するうえで、当該問題が発生した原因が、電子機器のディスプレイ内に導電配線が存在しており、外部光線がこれらの導電配線を通り抜ける際に複雑な回折強度分布が生じて、回折縞が現れ、カメラ等の受光部品の正常な動作に影響することにあることと考えました。例えば、透明な表示領域の下に配置されたカメラが動作する時、外部光線がディスプレイ内の導線材配線を通り抜けた後に明瞭な回折が発生し、カメラで撮影された画面が歪んでしまうことになる。
【００１１】
一般的に、従来の導電配線は長尺状である。光が、スリット、小孔又はディスクのような障害物を通り抜ける際には異なる程度の発散伝播が発生することで、元の直進伝播から逸れる現象は回折と呼ばれる。回折過程において、回折縞の分布は、例えば、スリットの幅、小孔の寸法などの障害物の寸法の影響を受ける。幅が同じである位置で発生した回折縞の位置が一致するので、顕著な回折効果が生じる。このため、従来の表示パネルに光線が通り抜ける時、表示パネルに周期的に配列された長尺状の導電配線が設けられているため、各位置で発生する回折縞はいずれも同じ位置に現れ、顕著な回折効果が生じ、当該表示パネルの下方に設けられた受光部品の正常な動作に悪影響を与える。
【００１２】
上記課題を解決するために、本発明の一実施例は表示パネルを提供する。図１は、一実施例に係る表示パネルの概略図である。当該表示パネルは、基板１１０と、基板１１０に設けられている複数の第一の電極１２０とを含む。
【００１３】
一実施例において、基板１１０は、リジッド基板又はフレキシブル基板であることができる。リジッド基板は、ガラス基板、石英基板、プラスチック基板等の透明基板を採用してよく、フレキシブル基板は、フレキシブルＰＩ基板等を採用してもよい。
【００１４】
複数の第一の電極１２０は、同じ方向に並行して延在しており、隣り合う二つの第一の電極１２０の間に間隔を有する。本実施例において、第一の電極１２０は、波状線の辺縁を持つ長尺状である。第一の電極１２０が延在方向に沿ってその幅が連続的に変化する。幅が連続的に変化するとは、第一の電極１２０における任意の隣接する位置での幅が異なることを意味する。図１において、第一の電極１２０の延在方向はその長手方向である。本実施例では、第一の電極１２０の幅が連続的に変化し、且つ、複数の第一の電極１２０が基板１１０に規則的に配列されているため、隣り合う二つの第一の電極１２０間の間隙も、第一の電極１２０の延在方向と平行する方向に沿って連続的に変化することになる。第一の電極１２０は、延在方向においてその幅が連続的に又は断続的に変化するかにもかかわらず、周期的変化と考えてもよい。周期的変化の一つ周期においての長さは一画素の幅に対応してもよい。
【００１５】
他の実施例において、図２に示すように、第一の電極１２０は延在方向に沿って幅が断続的に変化する。幅が断続的に変化するとは、第一の電極１２０において、一部の領域内に隣接する位置での幅は同じであるが、一部の領域内に隣接する位置での幅は異なることを意味する。第一の電極１２０の幅が断続的に変化し、且つ、複数の第一の電極１２０が基板１１０上に規則的に配列されているため、隣り合う二つの第一の電極１２０間の間隙も、第一の電極１２０の延在方向と平行する方向において断続的に変化することになる。
【００１６】
上記した表示パネルには複数の第一の電極１２０が設けられており、第一の電極１２０の延在方向においてその幅が連続的に或いは断続的に変化するため、隣り合う二つの第一の電極１２０間には連続的に又は断続的に変化する間隔を有する。したがって、第一の電極１２０における幅の異なる位置、及び、隣り合う二つの第一の電極１２０間の間隔の異なる位置で生じた回折縞の位置が異なり、そして異なる位置で発生した回折効果が相殺することにより、回折効果を効果的に弱めることができ、カメラを該透明な表示パネルの下方に配置した場合に撮影された画像が高い鮮明度を有することを確保する。
【００１７】
一実施例において、第一の電極１２０は軸対称な形状になる。第一の電極１２０の幅の設定は、表示パネルの画素開口に直接影響し、表示パネルの画素開口率に影響する。第一の電極１２０を軸対称な形状とすることで、表示パネル上の各画素ユニットが同一又は近い開口率を有することを確保でき、異なる位置における画素ユニットの開口率の大きな違いに起因して表示パネルの表示効果に悪影響を与える問題を引き起こすことはない。
【００１８】
図１に示すように、第一の電極１２０は、その延在方向に沿う二つの縁部がいずれも波状線になる。当該二本の波状線は、その波頂Ｔ及び波底Ｂにおいてはいずれも曲線であり、波頂Ｔにおける曲線の曲率半径と波底Ｂにおける曲線の曲率半径とは異なる。波頂Ｔにおける曲線の曲率半径と波底Ｂにおける曲線の曲率半径とが異なるため、第一の電極１２０は延在方向にその幅が連続的に変化することをさらに確保できる。したがって、第一の電極１２０における幅の異なる位置、及び、隣り合う二つの第一の電極１２０間の間隔の異なる位置で生じる回折縞の位置が異なり、そして異なる位置で発生した回折効果が相殺することにより、回折効果を効果的に弱めることができ、カメラを該表示パネルの下方に配置した場合に撮影された画像が高い鮮明度を有することを確保する。
【００１９】
一実施例において、各波頂Ｔにおける曲線の曲率半径を第一の半径Ｒ１とすると、各波底Ｂにおける曲線の曲率半径Ｒは、いずれも以下の条件を満たす。
（数１）
０．２Ｒ１≦Ｒ≦５Ｒ１
【００２０】
具体的な実際応用において、波底Ｂにおける曲線の曲率半径Ｒは、第一の電極１２０に対する抵抗要求等の実際の電気的要求に応じて設計されることができる。
【００２１】
一実施例において、図３に示すように、第一の電極１２０の両縁となる波状線は、隣り合う二つの波底Ｂにおける曲線の曲率半径Ｒが異なる。具体的には、波状線の波底Ｂにおける曲線は、少なくとも第一の曲線Ｂ１及び第二の曲線Ｂ２を含む。第一の曲線Ｂ１の曲率半径はＲ２１であり、第二の曲線Ｂ２の曲率半径はＲ２２であり、Ｒ２１＞Ｒ２２である。隣り合う波底Ｂにおける曲線の半径を異なるようにすることで、第一の電極１２０の延在方向における各位置での幅の画一性配分をさらに乱すことができ、より良好な回折改善効果を達成できる。また、第一の曲線Ｂ１と第二の曲線Ｂ２を波状線に交互に設けることで、第一の電極１２０の各位置での幅の画一性配分をさらに乱すことができ、回折効果を改善する目的を達成できる。
【００２２】
一実施例において、第一の電極１２０には、複数の突出部１２０ａが形成されている。複数の突出部１２０ａは、第一の電極１２０の縁部に沿って配置されている。第一の電極１２０に複数の突出部１２０ａを設けることにより、第一の電極１２０の各位置での幅の画一性配分をさらに乱すことができ、回折効果を弱めることができる。突出部１２０ａの縁部は曲線及び／又は直線であってもよい。例えば、図４における第一の電極１２０における突出部１２０ａの縁部は曲線になる。図５における第一の電極１２０の突出部１２０ａの縁部は直線となっており、この時、第一の電極１２０全体の縁部はジグザグ状になる。
【００２３】
図６に示すように、他の実施例において、上記表示パネルは、第一の電極１２０に形成された画素定義層１２２をさらに含む。画素定義層１２２には画素開口１２２ａが形成されている。各画素開口１２２ａの縁部はいずれも非平滑縁部であり、非平滑縁部には複数の突出部１２２ｂが形成されている。突出部１２２ｂの縁部は直線及び／又は曲線である。画素開口１２２ａの各縁部を非平滑縁部とすることで、画素開口１２２ａの各位置での幅の画一性配分をさらに乱すことができ、回折効果を低減できる。
【００２４】
一実施例において、図７に示すように、表示パネルは、第一の電極１２０と積層して設けられている第二の電極１４０をさらに含む。第二の電極１４０の延在方向は、第一の電極１２０の延在方向に直交する。
【００２５】
一実施例において、表示パネルの光透過率を向上させるために、第一の電極１２０及び第二の電極１４０などの表示パネルの各導電配線は、いずれも透明な導電性金属酸化物により製造される。一例として、第一の電極１２０及び第二の電極１４０は、いずれも酸化インジウムスズ（ＩＴＯ）又は酸化インジウム亜鉛（ＩＺＯ）により製造されてもよい。さらに、高い光透過率を確保した上で各導電配線の抵抗を小さくするために、第一の電極１２０及び第二の電極１４０は、いずれも酸化亜鉛をドープしたアルミニウム、銀をドープしたＩＴＯ、銀をドープしたＩＺＯなどの材料を用いてもよい。
【００２６】
一実施例において、上記表示パネルは、パッシブマトリクス有機エレクトロルミネッセンス発光ダイオード（Ｐａｓｓｉｖｅ−Ｍａｔｒｉｘ  Ｏｒｇａｎｉｃ  Ｌｉｇｈｔ−Ｅｍｉｔｔｉｎｇ  Ｄｉｏｄｅ、ＰＭＯＬＥＤ）表示パネルである。図７に示すように、当該表示パネルは、第一の電極１２０と積層して設けられている第二の電極１４０をさらに含む。第一の電極１２０と第二の電極１４０との間に絶縁層１３０が形成されている。絶縁層１３０は、第一の電極１２０と第二の電極１４０との間の電気的絶縁を実現するためのものである。当該絶縁層１３０は、無機絶縁層又は有機絶縁層であってよく、有機層及び無機層を同時に含む複合構造であってもよい。表示パネルの光透過率を高めるために、絶縁層材料は、ＳｉＯ２、ＳｉＮｘ、Ａｌ２Ｏ３等を採用することが好ましい。
【００２７】
第二の電極１４０の延在方向と第一の電極１２０の延在方向とが直交し、重なる領域に表示パネルの発光領域が形成される。ここで、第一の電極１２０はアノードであり、第二の電極１４０はカソードである。本実施例において、各アノードは、一行／列又は複数行／列の副画素を駆動することに用いられる。一般的に、一つの画素（又は画素ユニット）は、少なくとも赤、緑、青の三つの副画素を含む。他の実施例において、一つの画素ユニットは、赤、緑、青、白の四つの副画素を含んでもよい。副画素の配列方式は、ＲＧＢ副画素の並列配列、Ｖ形配列、及びＰｅｎＴｉｌｅ配列等であってもよい。本明細書では、いずれもＲＧＢ副画素の配列で構成された画素ユニットを例として説明する。本実施例における表示パネルは、ＲＧＢ副画素の配列以外の配列方式にも適用可能である。一実施例において、各アノードは、一行／列の画素ユニット内の全ての副画素を駆動することに用いられる。すなわち、本実施例において、各アノードは、一行／列の画素ユニット内の赤、緑、青の三列の副画素を駆動することに用いられる。
【００２８】
一実施例において、第二の電極１４０、すなわち、カソードは、第一の電極１２０と同じ形状を有する。具体的には、第二の電極１４０は延在方向においてその幅が連続的に或いは断続的に変化し、隣り合う二つの第二の電極１４０の間には連続的に又は断続的に変化する間隔を有する。したがって、第二の電極１４０における幅の異なる位置、及び、隣り合う二つの第二の電極１４０間の間隔の異なる位置で生じた回折縞の位置が異なり、そして異なる位置で発生した回折効果が相殺することにより、回折効果を効果的に弱めることができ、カメラを該透明な表示パネルの下方に配置した場合に撮影された画像が高い鮮明度を有することを確保する。
【００２９】
もう一つの実施例において、上記表示パネルは、アクティブマトリクス有機発光ダイオード（Ａｃｔｉｖｅ−Ｍａｔｒｉｘ  Ｏｒｇａｎｉｃ  Ｌｉｇｈｔ−Ｅｍｉｔｔｉｎｇ  Ｄｉｏｄｅ、ＡＭＯＬＥＤ）表示パネルであってもよい。この場合、基板１１０はＴＦＴアレイ基板である。第一の電極１２０は、ＴＦＴアレイ基板に形成された各種の導電配線を含む。第一の電極１２０の幅寸法は、導電配線の幅設計に応じて設計する必要がある。ここで、導電配線は、走査線、データ線及び電力線のうちの少なくとも一種を含む。例えば、走査線、データ線及び電力線などのＴＦＴアレイ基板上の全ての導電配線を改善し、図３に示すような電極形状とすることができる。ＴＦＴアレイ基板上の導電配線を図３に示す波状線状の電極形状とすることで、導電配線の延在方向において、光線が幅の異なる位置、及び、隣り合う導電配線間の間隔の異なる位置を通り抜ける時に生じた回折縞が異なる位置で形成され、そして異なる位置での回折効果が相殺することにより、回折効果を弱め、その下方に配置された受光部品の正常な動作を確保できる。
【００３０】
一実施例において、表示パネルは、ＡＭＯＬＥＤ表示パネルであり、基板１１０の上方に形成されたアノード層をさらに含む。アノード層は、アレイ状に配置された互いに独立した複数のアノードを含む。アノードの形状は円形、楕円形又はダンベル状であってもよい。図８は、円形のアノード１２１で配列されたアノード層の概略図である。図９は、ダンベル状のアノード１２１で配列されたアノード層の概略図である。アノード１２１の形状を円形、楕円形、又はダンベル状に変更することで、光線がアノード層を通り抜ける時、アノード１２１における幅の異なる位置でも異なる位置及び発散方向を有する回折縞が生じることができ、そして異なる位置及び方向の回折縞が相殺して回折効果を弱めことを確保できる。また、回折効果をさらに弱めるために、各副画素も円形、楕円形、又はダンベル状にしてもよい。
【００３１】
一実施例において、上記表示パネルは、透明又は半透明半反射型の表示パネルであってもよい。
【００３２】
表示パネルの透明は、他の技術的手段により実現されてもよく、且つ、上記した表示パネルの構成はいずれも適用可能である。透明又は半透明半反射型の表示パネルは、動作状態にある時には画面を正常に表示でき、表示パネルが他の機能に用いられている状態にあるとき、外部光線は、当該表示パネルを透過して当該表示パネルの下に配置された受光部品等に照射できる。
【００３３】
また、本発明の一実施例はディスプレイを提供する。図１０は、一実施例に係るディスプレイの概略図である。当該ディスプレイは、第一の表示領域９１０及び第二の表示領域９２０を含む。第一の表示領域９１０の光透過率は、第二の表示領域９２０の光透過率より大きい。第一の表示領域９１０の下方には受光部品９３０が設けられてもよい。第一の表示領域９１０には、前述したいずれかの実施例で説明した第一の表示パネルが設けられている。第二の表示領域９２０には、第二の表示パネルが設けられている。第一の表示領域９１０及び第二の表示領域９２０はいずれも静止画像又は動画像を表示するために用いられる。第一の表示領域９１０には、上記実施例における表示パネルが用いられているため、光線が当該表示領域を通り抜ける際には明瞭な回折効果が生じることはなく、当該第一の表示領域９１０の下に配置された受光部品９３０が正常に動作可能であることを確保できる。
【００３４】
なお、受光部品９３０の非動作時に、第一の表示領域９１０は静止画像又は動画像を表示する動作を正常に行うことができる。また、受光部品９３０の動作時に、第一の表示領域９１０は、ディスプレイ全体の表示内容の変化に伴ってその表示内容が変化し、例えば、撮影している外部画像を表示し、或いは、第一の表示領域９１０は非表示状態にあってもよく、受光部品９３０が当該表示パネルを透過した光線を正常に受けることが可能であることをより一層確保できる。他の実施例において、第一の表示領域９１０と第二の表示領域９２０の光透過率は同じであってもよく、それにより、表示パネル全体が良好な画一的な透光率を有し、表示パネルが良好な表示効果を有することを確保する。
【００３５】
一実施例において、第一の表示領域９１０に設けられた第一の表示パネルはＰＭＯＬＥＤ表示パネル又はＡＭＯＬＥＤ表示パネルであり、第二の表示領域９２０に設けられた第二の表示パネルはＡＭＯＬＥＤ表示パネルである。このように、ＰＭＯＬＥＤ表示パネル及びＡＭＯＬＥＤ表示パネルにより構成された全面スクリーンが形成される。
【００３６】
また、本発明の他の実施例は表示端末を提供する。図１１は、一実施例に係る表示端末の概略図である。当該表示端末は、機器本体８１０及びディスプレイ８２０を含む。ディスプレイ８２０は、機器本体８１０に設けられ、機器本体８１０に接続されている。ここで、ディスプレイ８２０は、前述したいずれかの実施例におけるディスプレイを採用してよく、静止画像又は動画像を表示するために用いられる。
【００３７】
図１２は、一実施例に係る機器本体８１０の概略図である。本実施例において、機器本体８１０には、ノッチ領域８１２及び非ノッチ領域８１４が設けられてもよい。ノッチ領域８１２には、カメラ９３０や光センサ等の受光部品が設けられてもよい。この場合、ディスプレイ８２０の第一の表示領域における表示パネルは、ノッチ領域８１４を緊密に覆っており、上記したカメラ９３０や光センサ等の受光部品が当該第一の表示領域を透過した外部光線を受ける等の動作を行うことができる。第一の表示領域における表示パネルは、外部光線が当該第一の表示領域を透過する際に生じた回折現象を効果的に改善できるため、表示機器に表示された、カメラ９３０による撮像画像の品質を効果的に向上させることができ、回折による撮像画像の歪みを回避しつつ、光センサの外部光線に対するセンシングの精度や感度を向上させることができる。
【００３８】
上記電子機器は携帯電話、タブレット、パームトップコンピュータ、ｉＰｏｄ（登録商標）等のデジタル装置であってもよい。
【００３９】
上述した実施例の各技術的特徴は任意に組み合わせることができる。記述の簡潔化のために、上述した実施例における各技術的特徴のあらゆる組合せについて説明していないが、これらの技術的特徴の組合せは矛盾しない限り、本明細書に記述されている範囲内であると考えられるべきである。
【００４０】
上述した実施例は、本発明のいくつかの実施形態を示したものにすぎず、その記述が具体的かつ詳細であるが、本発明の範囲を限定するものと解釈されるべきではない。なお、当業者にとって、本発明の趣旨から逸脱しないかぎり、若干の変形および改良を行うことができ、これら変形や改良もすべて本発明の保護範囲内に含まれる。本発明の保護範囲は、特許請求の範囲に準ずるものとする。
【図１】
2021502603.tif 000003
【図２】
2021502603.tif 000004
【図３】
2021502603.tif 000005
【図４】
2021502603.tif 000006
【図５】
2021502603.tif 000007
【図６】
2021502603.tif 000008
【図７】
2021502603.tif 000009
【図８】
2021502603.tif 000010
【図９】
2021502603.tif 000011
【図１０】
2021502603.tif 000012
【図１１】
2021502603.tif 000013
【図１２】
2021502603.tif 000014
【手続補正書】
【提出日】令和2年5月11日(2020.5.11)
【手続補正１】
【補正対象書類名】特許請求の範囲
【補正対象項目名】全文
【補正方法】変更
【補正の内容】
【特許請求の範囲】
【請求項１】
基板と、
基板に設けられている複数の第一の電極と、
を含み、
複数の前記第一の電極は、同じ方向に沿って並行延在し、隣り合う二つの前記第一の電極の間に間隔を有し、
前記第一の電極の延在方向において、前記第一の電極の幅が連続的に或いは断続的に変化し、前記第一の電極は、その延在方向に沿う二つの縁部はいずれも波状線であるとともに、前記波状線の波頂及び波底の部分がいずれも曲線であり、且つ前記波頂における曲線の曲率半径と前記波底における曲線の曲率半径とが異なることを特徴とする表示パネル。
【請求項２】
前記波頂における曲線の曲率半径を第一の半径Ｒ１とすると、前記波底における曲線の曲率半径Ｒは、
０．２Ｒ１≦Ｒ≦５Ｒ１
という条件を満たすことを特徴とする請求項１に記載の表示パネル。
【請求項３】
隣り合う二つの前記波底における曲線の曲率半径は異なることを特徴とする請求項１に記載の表示パネル。
【請求項４】
前記波底における曲線は、少なくとも第一の曲線及び第二の曲線を含み、前記波状線に前記第一の曲線及び前記第二の曲線を交替的に配置されることを特徴とする請求項１に記載の表示パネル。
【請求項５】
前記第一の電極に積層する第二の電極をさらに含み、前記第二の電極の延在方向は、前記第一の電極の延在方向に直交し、前記第一の電極の形状と前記第二の電極の形状とは同じであることを特徴とする請求項１に記載の表示パネル。
【請求項６】
前記基板はＴＦＴアレイ基板であり、
前記第一の電極は、前記ＴＦＴアレイ基板上に設置されている導電配線を含み、
前記導電配線は、走査線、データ線及び電力線の少なくとも一つから選択されるものであることを特徴とする請求項１に記載の表示パネル。
【請求項７】
前記基板上に設けられているアノード層をさらに含み、
前記アノード層は、アレイ状に配置された互いに独立した複数のアノードを含み、
前記アノードの形状は円形、楕円形又はダンベル状であることを特徴とする請求項１に記載の表示パネル。
【請求項８】
前記第一の電極には複数の突出部が形成され、
前記複数の突出部が、前記第一の電極の縁部に沿って配置されていることを特徴とする請求項１に記載の表示パネル。
【請求項９】
画面を表示する第一の表示領域と、
前記第一の表示領域に設けられる請求項１に記載の第一の表示パネルと、
を含むことを特徴とするディスプレイ。
【請求項１０】
前記第一の表示領域と隣接した第二の表示領域と、
前記第二の表示領域に設けられている第二の表示パネルと、
をさらに含み、
前記第一の表示パネルはＰＭＯＬＥＤ表示パネル又はＡＭＯＬＥＤ表示パネルであり、前記第二の表示パネルはＡＭＯＬＥＤ表示パネルであることを特徴とする請求項９に記載のディスプレイ。
【国際調査報告】
2021502603.tif 000015
2021502603.tif 000016
2021502603.tif 000017
2021502603.tif 000018